(57)【特許請求の範囲】
【請求項１】
入賞口を有する入賞ケースと、
前記入賞口を開放する第１状態と前記入賞口を閉鎖する第２状態との間で前後方向に変換動作可能な変換部材と、
該変換部材を前記第１状態と前記第２状態とに変換駆動する駆動手段と、
を含む入賞手段を備えた弾球遊技機において、
前記入賞手段は、
前記変換部材と前記駆動手段とを連動させる連動手段と、
前記変換部材を前記第２状態でロックし且つ前記駆動手段が前記変換部材を前記第２状態から前記第１状態に変換する場合に該駆動手段に連動して前記変換部材の駆動前にそのロックを解除するロック手段とを備え、
前記入賞ケースは前記変換部材が前記第２状態の場合にも前側から前記入賞口内へと遊技球を挿入可能な開口部を備えた
ことを特徴とする弾球遊技機。
【発明の詳細な説明】
【技術分野】
【０００１】
本発明は、パチンコ機、アレンジボール機等の弾球遊技機に関するものである。
【背景技術】
【０００２】
弾球遊技機、例えばパチンコ機には、遊技盤の遊技領域に図柄始動手段と図柄表示手段と開閉式入賞手段とを備え、遊技領域に打ち込まれた遊技球を図柄始動手段が検出することを条件に図柄表示手段の遊技図柄が所定時間変動して、その変動後の遊技図柄が大当たり態様となった場合に大当たり状態が発生し、その大当たり状態中に開閉式入賞手段が所定ラウンド数開閉動作するようにしている。
【０００３】
この種のパチンコ機では、その開閉式入賞手段として、遊技盤に前側から装着された入賞ケースと、遊技盤の前面で入賞ケースに上向きに開口して形成された横長矩形状の入賞口と、この入賞口の上側に入賞ケースに前後方向に摺動自在に配置され且つ遊技盤の前面に対して出退して入賞口を開閉する開閉部材と、遊技盤の裏側で入賞ケースに装着され且つ連動手段を介して開閉部材を出退駆動するソレノイドとを備えたものが使用されている（特許文献１）。
【０００４】
開閉部材は通常ソレノイドの戻しバネにより遊技盤の前面側に突出して入賞口の上側を閉じる閉状態に保持されている。そして、図柄表示手段の変動後の遊技図柄が大当たり態様となれば、ソレノイドの励磁により連動手段を介して開閉部材が遊技盤の前面から裏側へと後退して入賞口を開放して、上方から落下する遊技球が入賞口へと入賞する。
【先行技術文献】
【特許文献】
【０００５】
【特許文献１】特開２００７−２２９３６２号公報
【発明の概要】
【発明が解決しようとする課題】
【０００６】
この種の開閉式入賞手段では、ガラス扉等を殴打すればそのときの振動により開閉部材が後退して入賞口を開放する可能性があり、遊技球が開閉式入賞手段の上側近傍に達するタイミングに合わせて、ガラス扉等を殴打して遊技球を入賞口に不正に入賞させる不正行為を招く惧れがある。
【０００７】
即ち、この開閉式入賞手段では、開閉部材が前後方向に摺動自在であること、開閉部材からソレノイドまでの各構成部材の質量が小さいこと、開閉部材が通常ソレノイドの戻しバネにより閉状態に保持されていること等から、ゲーム中に開閉式入賞手段の近傍でガラス扉等を遊技盤側に向かって前後方向に殴打すれば、ガラス扉を介して遊技盤が前後方向に振動し、その振動によって開閉部材が戻しバネに抗して不測に後退する惧れがある。従って、遊技球の入賞を確実に防止し得ない欠点がある。
【０００８】
本発明は、このような従来の問題点に鑑み、外部からの振動等による遊技部品の変換部材の不測の変換動作を防止でき不正行為を未然に阻止できる弾球遊技機を提供することを目的とする。
【課題を解決するための手段】
【０００９】
本発明は、入賞口を有する入賞ケースと、前記入賞口を開放する第１状態と前記入賞口を閉鎖する第２状態との間で前後方向に変換動作可能な変換部材と、該変換部材を前記第１状態と前記第２状態とに変換駆動する駆動手段と、を含む入賞手段を備えた弾球遊技機において、前記入賞手段は、前記変換部材と前記駆動手段とを連動させる連動手段と、前記変換部材を前記第２状態でロックし且つ前記駆動手段が前記変換部材を前記第２状態から前記第１状態に変換する場合に該駆動手段に連動して前記変換部材の駆動前にそのロックを解除するロック手段とを備え、前記入賞ケースは前記変換部材が前記第２状態の場合にも前側から前記入賞口内へと遊技球を挿入可能な開口部を備えたものである。
【発明の効果】
【００１０】
本発明では、外部からの振動等による遊技部品の変換部材の不測の変換動作を防止でき不正行為を未然に阻止できる利点がある。
【図面の簡単な説明】
【００１１】
【図１】本発明の第１の実施形態を示すパチンコ機の正面図である。
【図２】同開閉式入賞手段等を備えた装飾体の斜視図である。
【図３】同開閉式入賞手段等の正面断面図である。
【図４】同開閉式入賞手段等の側面断面図である。
【図５】同開閉式入賞手段の背面断面図である。
【図６】同開閉式入賞手段の平面断面図である。
【図７】同後規制手段等の平面断面図である。
【図８】同要部の分解斜視図である。
【図９】同駆動手段、連動手段等の要部の構成図である。
【図１０】同駆動手段、連動手段等の要部の斜視図である。
【図１１】（Ａ）〜（Ｃ）は開放時の動作説明図である。
【図１２】（Ａ）〜（Ｆ）は閉鎖時の動作説明図である。
【図１３】本発明の第２の実施形態を示す要部の構成図である。
【図１４】同閉鎖時の動作説明図である。
【図１５】本発明の第３の実施形態を示す要部の構成図である。
【発明を実施するための形態】
【００１２】
以下、本発明の第１の実施形態を図面に基づいて詳述する。図１〜図１２は本発明をパチンコ機に採用した第１の実施形態を例示する。パチンコ機は、図１に示すように、矩形状の外枠１と、この外枠１の前側にヒンジ２により縦軸廻りに開閉自在に枢着された前枠３とを備えている。前枠３の前側にはガラス扉４と前面板５とが上下に配置され、前枠３に対してヒンジ２と同じ側のヒンジにより縦軸廻りに開閉自在に枢支されている。
【００１３】
前面板５の前側には発射用の遊技球を貯留する球供給皿７が配置され、その側方に遊技球を発射する発射手段（図示省略）の発射ハンドル８が設けられている。ガラス扉４の裏側には、このガラス扉４に対応するように前枠３に遊技盤１０が着脱自在に装着されている。
【００１４】
遊技盤１０の前面には、図１に示すように、発射手段から発射された遊技球を案内するガイドレール１１が略円弧状に配置されると共に、そのガイドレール１１の内側の遊技領域１２に画像表示手段１３、普通図柄始動手段１４、第１特別図柄始動手段１５、第２特別図柄始動手段１６、大当たり用の第１開閉式入賞手段１７、普通入賞手段１８，１９、普通図柄表示手段２０、第１特別図柄表示手段２１、第２特別図柄表示手段２２、装飾体２３等の各種の遊技部品が配置されている。
【００１５】
画像表示手段１３は遊技領域１２の左右方向の略中央の上部に位置しており、この画像表示手段１３の左側が左打ち通路２４となり、画像表示手段１３の上側から右側が右打ち通路２５となっている。このため遊技領域１２は画像表示手段１３を挟んで左打ち通路２４と右打ち通路２５とに分かれている。
【００１６】
画像表示手段１３の下側の左右略中央には、第１特別図柄始動手段１５と第２特別図柄始動手段１６とアウト球口２６とがその順で上下方向に配置されている。画像表示手段１３の左下側には、画像表示手段１３との間に左打ち通路２４を置いて複数個の普通入賞手段１８が遊技領域１２の外周縁に沿って円弧状に配置されている。
【００１７】
また画像表示手段１３の右下側には、画像表示手段１３との間に右打ち通路２５を置いて遊技領域１２の外周縁に沿って装飾体２３が円弧状に配置されている。装飾体２３の上端側には球案内板２８と普通図柄始動手段１４とが、下端側には普通入賞手段１９が夫々設けられ、また中間に第１開閉式入賞手段１７が設けられている。
【００１８】
画像表示手段１３は中央役物の一例であって、液晶式等の画像表示部２９と、画像表示部２９に対応する表示窓３０を有し且つ遊技盤１０の前面に装着された前飾り枠３１とを備えている。前飾り枠３１には遊技盤１０から前側に突出する突出部３２を上部から左右両側部に跨がって備え、その突出部３２の上部側の前面に普通図柄表示手段２０と第１特別図柄表示手段２１、第２特別図柄表示手段２２とが装着されている。
【００１９】
また前飾り枠３１はその突出部３２の左側に球誘導口３４を有し、この球誘導口３４からの遊技球を下部の落下部３５から遊技盤１０の前側に落下させるようになっている。なお、普通図柄表示手段２０、第１特別図柄表示手段２１、第２特別図柄表示手段２２は他の部位に配置してもよい。
【００２０】
普通図柄表示手段２０は普通図柄を変動表示するためのもので、複数種類の普通図柄（例えば２種類の「○」「×」）に対応する複数個の発光素子により構成されており、普通図柄始動手段１４が遊技球を検出することを条件に２個の発光素子が交互に点灯するように所定時間点滅して、普通図柄始動手段１４の遊技球の検出時に抽選した乱数値が予め定められた当たり判定値と一致した場合に当たり態様の「○」側の発光素子が点灯し、それ以外の場合に外れ態様の「×」側の発光素子が点灯して停止する。なお、変動後の普通図柄は１／１０程度の所定の確率で当たり態様となる。
【００２１】
第１特別図柄表示手段２１、第２特別図柄表示手段２２は発光部位の変化等で第１特別図柄、第２特別図柄を変動表示可能なセグメント式等の表示手段により構成されており、第１特別図柄表示手段２１は第１特別図柄始動手段１５が、第２特別図柄表示手段２２は第２特別図柄始動手段１６が夫々遊技球を検出することを条件に、第１特別図柄、第２特別図柄が所定時間変動して、第１特別図柄始動手段１５、第２特別図柄始動手段１６の遊技球の検出時に抽選された乱数値が予め定められた大当たり判定値と一致した場合に所定の大当たり態様で、それ以外の場合に外れ態様で停止するようになっている。
【００２２】
なお、変動後の第１特別図柄、第２特別図柄は、通常確率状態中は１／３５０等の通常確率で大当たり態様となり、大当たり状態終了後の高確率状態中は１／３５等の高確率で大当たり態様となる。大当たり状態中の場合には第１特別図柄、第２特別図柄は何れも変動しないし、一方が変動中の場合には他方は変動しない。また各特別図柄の始動検出は所定の上限数（例えば４）まで保留可能であり、両方に１以上の保留がある場合には、第２特別図柄表示手段２２の図柄変動が優先する。更に高確率状態中は第１特別図柄、第２特別図柄の変動時間も短縮される。
【００２３】
画像表示部２９は第１特別図柄表示手段２１、第２特別図柄表示手段２２に対応する演出図柄表示手段３７を構成するもので、第１特別図柄、第２特別図柄の変動時にその図柄変動に同期して変動する１個又は複数個、例えば３個の演出図柄３７ａ〜３７ｃを変動表示する。演出図柄３７ａ〜３７ｃは第１特別図柄始動手段１５、第２特別図柄始動手段１６の遊技球の検出を条件に、抽選により決定された所定の演出図柄変動パターンを経て所定時間変動した後、第１特別図柄、第２特別図柄の変動終了に同期して所定の順序で順次停止する。なお、演出図柄表示手段３７は第１特別図柄表示手段２１、第２特別図柄表示手段２２に対応して別々に設けてもよい。
【００２４】
演出図柄３７ａ〜３７ｃの変動後の停止図柄は、第１特別図柄、第２特別図柄が大当たり態様で停止する場合には全てが揃う大当たり演出態様となり、第１特別図柄、第２特別図柄が外れ態様で停止する場合には少なくとも一部が異なる外れ演出態様となる。
【００２５】
例えば、演出図柄３７ａ〜３７ｃには０〜９までの数字図柄が使用されており、特別図柄が大当たり態様で停止する場合には演出図柄３７ａ〜３７ｃは「７・７・７」等の大当たり演出態様で停止し、特別図柄が外れ態様で停止する場合には演出図柄３７ａ〜３７ｃは「２・４・５」等の外れ演出態様で停止する。
【００２６】
第１特別図柄始動手段１５は非開閉式であって、画像表示手段１３の下側に配置されており、この第１特別図柄始動手段１５は右打ち通路２５に比較して左打ち通路２４を経て落下する遊技球が入賞し易くなっている。
【００２７】
第２特別図柄始動手段１６は第２開閉式入賞手段を構成するもので、左右一対の開閉部材１６ａを備えた第２電動チューリップ式入賞手段等により構成され、普通図柄表示手段２０の変動後の普通図柄が当たり態様で停止した場合に所定の開放パターンで開放するようになっている。
【００２８】
第２特別図柄始動手段１６の開放パターンには、開放時間の短い通常パターン（例えば０．２秒×１回）と開放時間の長い特別パターン（例えば２秒×３回）とがあり、通常確率状態中は通常パターンが、高確率状態中は特別パターンが夫々選択される。
【００２９】
装飾体２３は、図２に示すように、遊技盤１０の前面に当接する取り付け板４０と、取り付け板４０の前面に前側に突出して装着された装飾板４１とを備えている。なお、装飾体２３には球案内板２８と第１開閉式入賞手段１７との間に、遊技球を下方に通過させる通過路４２が設けられており、この通過路４２を通過した遊技球は遊技領域１２の外周壁４３を経てアウト球口２６へと案内される。球案内板２８は装飾板４１の上端に画像表示手段１３側（中央側）が低くなるように傾斜状に設けられ、この球案内板２８よりも上側で右打ち通路２５の外周壁４３に沿って落下する遊技球を中央側へと案内する。
【００３０】
普通図柄始動手段１４は遊技球の検出を条件に普通図柄表示手段２０の普通図柄を変動させるためのもので、右打ち通路２５を落下する遊技球が通過可能な通過式のものが用いられている。この普通図柄始動手段１４は、図２に示すように、球案内板２８よりも上側に配置され、装飾板４１よりも上側に突出する取り付け板４０の上端部に設けられている。また普通図柄始動手段１４は、球案内板２８よりも画像表示手段１３側に位置し、その左右両側を遊技球が通過できるように画像表示手段１３、右打ち通路２５の外周壁４３との間に所定の間隔が設けられている。
【００３１】
普通入賞手段１９は、図２に示すように、第１開閉式入賞手段１７の下側に設けられた周壁部４４との間に、遊技球の通過路４５を挟んで下側に配置されている。この普通入賞手段１９の入賞口１９ａは第１開閉式入賞手段１７と第２特別図柄始動手段１６との間で遊技領域１２の左右中央側に向いて斜め上向きに開口している。
【００３２】
第１開閉式入賞手段１７は変動後の第１特別図柄、第２特別図柄が大当たり態様で停止した場合に発生する大当たり状態中に所定の開放パターンで開閉するものであり、この第１開閉式入賞手段１７に遊技球が入賞した場合には、他の普通入賞手段１８，１９等への入賞よりも多くの賞球が払い出されるようになっている。
【００３３】
なお、第１開閉式入賞手段１７の開閉パターンは、開放後に所定数（例えば１０個）の遊技球が入賞するか、所定時間（例えば３０秒）が経過するかの何れか早い方で閉じる開閉動作を１ラウンドとして、そのラウンド数の違いにより複数の種類があり、大当たりの抽選時にその複数種類の開閉パターンの何れかが抽選される。
【００３４】
この第１開閉式入賞手段１７は、図３、図４に示すように、遊技盤１０の前面に装着された入賞ケース４６と、この入賞ケース４６の前側に設けられ且つ遊技盤１０の前面で上向きに開口する横長状の入賞口４７と、この入賞口４７の上側に配置され且つ入賞口４７を閉鎖する閉状態Ｘ（図４に実線で示す前進位置）と入賞口４７を開放する開状態Ｙ（図４に二点鎖線で示す後退位置）とに変換動作可能な開閉部材４８と、入賞ケース４６の後部側に装着され且つ開閉部材４８を閉状態Ｘと開状態Ｙとに変換駆動する駆動手段４９と、駆動手段４９と開閉部材４８とを連動させる連動手段５０と、開閉部材４８を閉状態Ｘでロックし且つ駆動手段４９が開閉部材４８を閉状態Ｘから開状態Ｙに変換駆動する場合に駆動手段４９に連動して開閉部材４８の駆動前にそのロックを解除するロック手段５１と、駆動手段４９が開閉部材４８を開状態Ｙから閉状態Ｘに変換駆動する場合にロック手段５１の解除後に連動手段５０を連携させる連携手段５２とを備えている。
【００３５】
なお、この実施形態では、変換部材を開閉部材４８とし、遊技者に有利な第１状態を開閉部材４８の開状態Ｙとし、第１状態よりも遊技者に不利な第２状態を開閉部材４８の閉状態Ｘとして、通常は開閉部材４８が閉状態Ｘにあるものとする。
【００３６】
入賞ケース４６は遊技盤１０の前面に当接する取り付け板４０と、この取り付け板４０の前面に装着された装飾板４１の一部とを利用して、その取り付け板４０の裏側に順次直列状に中ケース５３、後ケース５４を装着して構成されているが、遊技盤１０に前面側から装着可能であれば、その形状、構造は別段問題ではない。
【００３７】
入賞口４７は、装飾体２３の取り付け板４０及び装飾板４１と、これらの間に設けられた左右一対の側壁部５５と、この左右一対の側壁部５５間を左右に連結する底壁部５６とにより囲繞されており、この入賞口４７に入賞した遊技球は裏側の誘導通路５７へと誘導された後、誘導通路５７の下側の球検出スイッチ５８、案内通路５９を経て遊技盤１０の裏側へと案内されるようになっている。側壁部５５、底壁部５６は装飾板４１の裏面に一体に設けられている。
【００３８】
一対の側壁部５５の上部には、開閉部材４８の左右両側を受ける段差状の支持部６１が前後方向に設けられている。左右の支持部６１は略同一高さであり、この支持部６１から上側の側壁部５５は左側よりも右側が高くなっている。そして、右側の側壁部５５と周壁部４４の右側部分４４ａとの上端間には入賞口４７側に傾斜する傾斜部６２が設けられ、また左側の側壁部５５と周壁部４４の左側部分４４ｂとの上端間に第２特別図柄始動手段１６側（左右方向の中央側）に傾斜する傾斜部６３，６４が段違い状に設けられている。従って、入賞口４７の実質的な入賞領域Ｃは、傾斜部６２，６３の最頂部間になっている。
【００３９】
誘導通路５７は入賞口４７の左右幅よりも狭くなっており、取り付け板４０の裏側に装着された中ケース５３内で入賞口４７の略中央に対応するように通路壁６６により形成され、入賞口４７に裏側から連通している。なお、入賞口４７の底壁部５６は、誘導通路５７の右側に偏位して設けられ且つ誘導通路５７へと遊技球を案内する案内溝５６ａと、案内溝５６ａ側に傾斜して左右両側に設けられた傾斜部５６ｂとを有する。通路壁６６の後上部６６ａは、取り付け板４０の裏面に当接する当接壁６７から裏側へと後下がりに傾斜している。
【００４０】
球検出スイッチ５８は、図３、図４に示すように、誘導通路５７の下で中ケース５３に着脱自在に装着されている。球検出スイッチ５８は左右方向に長い矩形状であって、中ケース５３の下側の保持部６８に嵌合して係止爪６９により固定され、その前端側が取り付け板４０の凹部７０に嵌合されている。
【００４１】
開閉部材４８は図３〜図５に示すように、側壁部５５間で入賞口４７の上側を開閉する傾斜上面部７２と、この傾斜上面部７２の左右両端から下側に突出する補強リブ兼用の前後方向の摺動脚部７３とを有し、当接壁６７の上部に形成された案内口７１を介して、傾斜上面部７２により入賞口４７を上側から閉じる閉状態Ｘと、傾斜上面部７２が後退して入賞口４７を開放する開状態Ｙとの間で前後方向に摺動自在に配置されている。
【００４２】
傾斜上面部７２は第２特別図柄始動手段１６側（左右方向の中央側）へと緩やかに傾斜する板状であって、入賞口４７を閉じる閉状態Ｘ（前進位置）の場合に、その上に落下した遊技球を左右方向に転動させながら第２特別図柄始動手段１６側（左右方向の中央側）へと案内し、入賞口４７への遊技球の入賞を阻止するようになっている。また各摺動脚部７３は閉状態Ｘのときに左右の各側壁部５５の支持部６１上に突出しており、この支持部６１により開閉部材４８の左右両端部、即ち摺動脚部７３が下側から支持されるようになっている。
【００４３】
開閉部材４８は、図５にも示すように、その摺動脚部７３の下面が中ケース５３の左右の摺動案内部７４により前後方向に摺動自在に支持され、また傾斜上面部７２及び摺動脚部７３に対応する上壁部７５ａ及び側壁部７５ｂを有する覆い部７５により外側から覆われている。
【００４４】
覆い部７５の内面、即ち上壁部７５ａの下面には、図３〜図５に示すように、左右方向に１本又は複数本（例えば２本）の突条７６が、側壁部７５ｂの内面には上下方向に１本又は複数本（例えば１本）の突条７７が夫々前後方向に形成され、この各突条７６，７７に対して開閉部材４８が摺動自在になっている。支持部６１は摺動案内部７４よりも下側にあり、この支持部６１と摺動脚部７３との間には微少間隙が設けられている。
【００４５】
開閉部材４８は、図４、図８に示すように、入賞ケース４６内に組み込まれた駆動手段４９の駆動により連動手段５０を介して閉状態Ｘと開状態Ｙとの間で前後方向に摺動自在であり、閉状態Ｘで前規制手段８０により、開状態Ｙで後規制手段８１により夫々規制されている。
【００４６】
駆動手段４９はソレノイド８４により構成されており、前向きに突出するプランジャー８５と、開閉部材４８が閉状態Ｘとなる方向にプランジャー８５を付勢する戻しバネ（図示省略）とを有し、連動手段５０の一側で中ケース５３の裏面に固定されている。
【００４７】
連動手段５０は、駆動手段４９の一側に前後方向に移動自在に配置された駆動手段４９側の第１連動部材８６と、開閉部材４８の後方に枢軸８７廻りに前後揺動自在に配置された開閉部材４８側の第２連動部材８８とを備え、その両連動部材８６，８８間にロック手段５１、連携手段５２が組み込まれている。そして、連動手段５０は開閉部材４８が閉状態Ｘの場合にロック手段５１により開閉部材４８をロックしておき、駆動手段４９が開閉部材４８を閉状態Ｘから開状態Ｙに変換駆動する場合にロック手段５１のロックを解除した後、連携手段５２、連動部材８６，８８を介して開閉部材４８を前後方向に出退駆動するようになっている。
【００４８】
第２連動部材８８は開閉部材４８の後側に略上下方向に配置され、下端部に左右方向の枢軸８７により前後方向に揺動自在に枢支されている。第２連動部材８８の上端側には左右両側にＵ字状の係合部８９が設けられ、その係合部８９が開閉部材４８の後端の左右一対の被係合部９０に係合している。被係合部９０は図７〜図９に示すように、開閉部材４８の後端部にその後壁部９１よりも後方に設けられ、また枢軸８７が中ケース５３と後ケース５４との間で回動自在に挟持されている。なお、開閉部材４８は、傾斜上面部７２よりも後方の略半分に前後方向のスリット８３が左右方向に複数本形成されている。
【００４９】
第１連動部材８６はソレノイド８４と第２連動部材８８との間に前後方向に移動自在に配置されている。そして、第１連動部材８６は前端側の屈曲部８６ａがプランジャー８５に連結されており、駆動手段４９が開閉部材４８を閉状態Ｘから開状態Ｙに変換駆動する場合にソレノイド８４の励磁によりプランジャー８５と一体に後方に移動し、また開閉部材４８を開状態Ｙから閉状態Ｘに変換駆動する場合にソレノイド８４の戻しバネによりプランジャー８５と一体に前方に移動する。なお、第１連動部材８６の後部側は、後ケース５４等により前後方向にのみ摺動自在に案内されている。
【００５０】
ロック手段５１は連動手段５０に設けられており、図４、図８〜図１０に示すように第２連動部材８８に設けられた被係合部９２と、第１連動部材８６に設けられ且つ開閉部材４８が閉状態Ｘのときに第１連動部材８６の移動により被係合部９２に係脱自在に係合する係合部９３とを備えている。
【００５１】
被係合部９２は第２連動部材８８の開閉部材４８と反対側で枢軸８７の近傍に設けられた突起により構成されている。係合部９３は第１連動部材８６の前後移動により被係合部９２の下側に後側から係脱自在であり、開閉部材４８が閉状態Ｘにある場合に、第２連動部材８８の被係合部９２に対して開閉部材４８と反対側から係脱自在に係合している。
【００５２】
係合部９３には開閉部材４８が閉状態Ｘに復帰する際にその手前で被係合部９２に当接して、開閉部材４８が閉状態Ｘで停止する前に被係合部９２を係合部９３上に案内するための当接案内部９３ａが設けられている。なお、係合部９３の上側には被係合部９２を挟むように突起９３ｂが設けられているが、これは省略してもよい。
【００５３】
連携手段５２は図４、図８〜図１０に示すように、第２連動部材８８に設けられた被当接部９５と、第１連動部材８６に設けられた第１当接部９６、第２当接部９７及び第３当接部９８とを備えている。被当接部は９５は第２連動部材８８の側面から第１連動部材８６側に突出している。
【００５４】
第１当接部９６は開閉部材４８を閉状態Ｘから開状態Ｙへと後退させる場合に、ロック手段５１の解除後に両連動部材８６，８８を連携させるためのものであり、第２当接部９７は開閉部材４８を開状態Ｙから閉状態Ｘへと前進させる場合に両連動部材８６，８８を連携させるためのものであって、この第１当接部９６と第２当接部９７は被当接部９５を挟んでその前後に設けられている。
【００５５】
第３当接部９８は開閉部材４８を開状態Ｙから閉状態Ｘに移動した場合に被当接部９５が第２当接部９７から離脱して、ロック手段５１の係合部９３が被係合部９２に係合して開閉部材４８の閉状態Ｘで第２連動部材８８をロックした後に、被当接部９５に当接するようになっている。
【００５６】
なお、開閉部材４８が閉状態Ｘに位置したときに前規制手段８０により規制されて第２当接部９７が被当接部９５から離脱する場合に、被当接部９５との干渉を避ける逃がし部を設け、第３当接部９８を省略してもよい。また当接案内部９３ａが被係合部９２に当接して開閉部材４８を閉状態Ｘに位置させる場合にも、第３当接部９８に代替して被当接部９５との干渉を避ける逃がし部を設けてもよい。
【００５７】
開閉部材４８が閉状態Ｘにある場合には、第１連動部材８６の後退動作時にロック手段５１が解除するまで連動部材８６，８８が連携しないように、第１当接部９６と被当接部９５との間に前後方向に所定の間隔が設けられている。
【００５８】
前規制手段８０は、図４、図６に示すように、開閉部材４８の後壁部９１の左右両端近傍から下方に突出する左右一対の係合突部９９と、誘導通路５７の通路壁６６の左右両側で各摺動案内部７４の内側近傍に裏側から凹入状に形成され且つ係合突部９９が裏側から係脱自在に係合する係合部１００とを有し、開閉部材４８が閉状態Ｘのときに係合突部９９が係合部１００に裏側から係合して駆動手段４９の戻しバネ等の付勢手段により前側に付勢されている。
【００５９】
後規制手段８１は、図４、図７に示すように、開閉部材４８の後端の後壁部９１と各被係合部９０の基部との間に後広がり状に形成された左右一対の前傾斜部１０１と、後ケース５４内に前上がり状に設けられ且つ前傾斜部１０１に上側から当接する後傾斜部１０２とを備え、開閉部材４８が開状態Ｙのときに両傾斜部１０１，１０２が交差状に当接するようになっている。なお、図７は開閉部材４８が開状態Ｙのときを示す。
【００６０】
ゲームに際しては、遊技者は発射手段を操作して遊技領域１２へと遊技球を発射させる。このとき通常確率状態であれば、遊技者は第１特別図柄始動手段１５に入賞し易い左打ち通路２４に遊技球が集中するように左打ちをする。遊技球が左打ち通路２４を経て下側へと落下する間に第１特別図柄始動手段１５に入賞すると、第１特別図柄表示手段２１の第１特別図柄、演出図柄表示手段３７の演出図柄３７ａ〜３７ｃが同期して所定時間変動する。そして、第１特別図柄始動手段１５に遊技球が入賞したときの抽選結果が大当たりであるか否かに応じて、第１特別図柄表示手段２１の変動後の第１特別図柄が大当たり態様又は外れ態様で停止し、演出図柄表示手段３７の演出図柄３７ａ〜３７ｃが大当たり演出態様又は外れ演出態様で停止する。
【００６１】
通常確率状態中でも右打ち通路２５に進入した遊技球が普通図柄始動手段１４に入賞すれば、普通図柄表示手段２０の普通図柄が変動して変動後に当たり態様で停止することもある。しかし、通常確率状態中は第２特別図柄始動手段１６の開放時間が極僅かであるため、第２特別図柄始動手段１６に遊技球が入賞する可能性は非常に低い。
【００６２】
第１特別図柄表示手段２１の変動後の第１特別図柄が大当たり態様で停止すれば大当たり状態となり、第１開閉式入賞手段１７が抽選された所定の開閉パターンで所定ラウンド数開閉動作を繰り返すので、遊技者は第１開閉式入賞手段１７に遊技球が入賞し易い右打ち通路２５側に遊技球を集中させるべく右打ちをする。
【００６３】
右打ち通路２５に入った遊技球は普通図柄始動手段１４、球案内板２８等を経て下方に落下した後、その一部の遊技球は傾斜部６２よりも右の通過路４２を経て下方へと流下し、残りの遊技球は傾斜部６２よりも左の第１開閉式入賞手段１７側へと流下する。
【００６４】
第１開閉式入賞手段１７は通常、前規制手段８０、ソレノイド８４内の戻しバネ等の付勢手段により開閉部材４８が図４に実線で示すように閉状態Ｘに位置し、この開閉部材４８の傾斜上面部７２により入賞口４７が閉鎖された状態にある。
【００６５】
このとき開閉部材４８は連動手段５０のロック手段５１により閉状態Ｘでロックされており、ガラス扉４等を前後方向に殴打する等の衝撃を加えても、それによって開閉部材４８が閉状態Ｘから開状態Ｙへと移動するような惧れはない。
【００６６】
即ち、駆動手段４９のソレノイド８４が消磁状態の場合には、戻しバネによりプランジャー８５、第１連動部材８６が前進しており、図９に示すように、開閉部材４８の閉状態Ｘで第１連動部材８６の係合部９３が第２連動部材８８の被係合部９２に下側から係合して、ロック手段５１が第２連動部材８８を介して開閉部材４８を閉状態Ｘにロックしている。
【００６７】
従って、開閉部材４８に後向きの外力（ａ矢示方向）が作用して第２連動部材８８を枢軸８７廻りにｂ矢示方向に回動させようとしても、ロック手段５１により第２連動部材８８が回動不能に規制されるため、第１開閉式入賞手段１７の上側近傍に遊技球が落下するタイミングに合わせてガラス扉４等を殴打することにより、開閉部材４８を不正に開放する等の不正行為を防止することができる。
【００６８】
駆動手段４９のソレノイド８４が励磁すると、プランジャー８５及び第１連動部材８６が戻しバネに抗してａ矢示方向に後退動作を開始し、図９に示す位置から図１１（Ａ）〜（Ｃ）に示すように移動する。しかし、開閉部材４８が閉状態Ｘのときには、図９に示す連携手段５２の第１当接部９６と被当接部９５との間に前後方向に大きな隙間があるので、第１連動部材８６が後退を開始しても、第２連動部材８８は開閉部材４８の閉状態Ｘで停止したままである。
【００６９】
そして、図１１（Ａ）に示すように、連携手段５２の第１当接部９６が被当接部９５に当接して連携するまでの間に、第１連動部材８６の後退によって係合部９３が後方へと移動して被係合部９２から離脱して、ロック手段５１が開閉部材４８の閉状態Ｘでの第２連動部材８８のロックを解除する。
【００７０】
係合部９３が被係合部９２から離脱して第２連動部材８８のロックが解除されると、連携手段５２の第１当接部９６が被当接部９５に当接して第１連動部材８６と第２連動部材８８とが連携状態となる。このため第１連動部材８６が更にａ矢示方向に後退すると、図１１（Ｂ）（Ｃ）に示すように、連携手段５２を介して第２連動部材８８が枢軸８７廻りにｂ矢示方向に揺動し、開閉部材４８は係合部８９、被係合部９０を介して図４に二点鎖線で示すように開状態Ｙまでａ矢示方向に後退し入賞口４７を開放する。
【００７１】
このようにして入賞口４７が開放すると、傾斜部６２の頂部よりも左に進入した遊技球は遊技釘等に阻止されつつも入賞口４７へと入賞する。例えば、傾斜部６２上に落下した遊技球は、この傾斜部６２により案内されて入賞口４７内へと入り、その底壁部５６の傾斜部５６ｂから案内溝５６ａを経て誘導通路５７へと誘導され、球検出スイッチ５８を通過して遊技盤１０の裏側へと通過して行く。
【００７２】
そして、例えば球検出スイッチ５８が１０個の遊技球の入賞を検出するか、又は開閉部材４８の開放後から所定時間が経過すると、駆動手段４９のソレノイド８４が消磁して戻しバネによりプランジャー８５が戻るので、連動部材８６，８８を介して開閉部材４８が閉状態Ｘへと前進し、その傾斜上面部７２が入賞口４７を閉鎖する。
【００７３】
開閉部材４８が開状態Ｙにある場合、連携手段５２の被当接部９５は、図１１（Ｃ）に示すように、第１当接部９６と第２当接部９７との間にある。そして、ソレノイド８４が消磁してプランジャー８５、第１連動部材８６がｃ矢示方向へと前進移動すると、図１２（Ａ）に示すように、第２当接部９７が被当接部９５を前方へと押圧するので、第２連動部材８８が枢軸８７廻りにｄ矢示方向へと回動し、図１２（Ａ）〜（Ｆ）に示す状態を経て開閉部材４８が閉状態Ｘへと前進する。
【００７４】
開閉部材４８が閉状態Ｘ側へと前進する間に、図１２（Ａ）〜（Ｃ）に示すように被当接部９５が第２当接部９７上を上側へと相対的に摺動する。そして、図１２（Ｃ）に示す状態では第２当接部９７からの被当接部９５の離脱に相前後して、係合部９３の当接案内部９３ａが被係合部９２に当接し、第１連動部材８６の前進に従って第２連動部材８８がｄ矢示方向に回動する。その後、図１２（Ｅ）（Ｆ）に示すように被係合部９２が当接案内部９３ａから上側に外れて、係合部９３が被係合部９２に下側から係合する。これによって開閉部材４８の閉状態Ｘにおいて、ロック手段５１により第２連動部材８８を介して開閉部材４８をロックすることができる。
【００７５】
開閉部材４８が閉状態Ｘのときにその上に落下した遊技球は、この傾斜上面部７２上をｅ矢示方向に転動した後、傾斜上面部７２の左端から傾斜部６３，６４を経て下方へと落下する。
【００７６】
第１開閉式入賞手段１７が所定ラウンド数の開閉動作を消化すると、大当たり状態が終了する。しかし、この大当たり状態の契機となった大当たり抽選が高確率状態への確率変動を伴うものであれば、大当たり状態の終了後に高確率状態（特定遊技状態）に移行する。この高確率状態中は大当たりの抽選確率が高確率になる一方、第２特別図柄始動手段１６の開放時間が長くなり、また第１特別図柄表示手段２１、第２特別図柄表示手段２２の特別図柄の変動時間が短縮される時短状態となる。このため遊技者は有利な右打ち通路２５に遊技球を集中させる右打ちを継続する。
【００７７】
遊技球が普通入賞手段１９に入賞すれば普通図柄表示手段２０の普通図柄が所定時間変動し、当たり、外れの抽選結果に応じて変動後の普通図柄が当たり態様又は外れ態様で停止する。普通図柄が当たり態様で停止すれば、第２特別図柄始動手段１６が通常確率状態中よりも長い時間開放する。
【００７８】
一方、このとき第１開閉式入賞手段１７は開閉部材４８が閉状態Ｘにあるので、開閉部材４８上に落下した遊技球はその傾斜上面部７２上を転動して傾斜部６３，６４を経て第２特別図柄始動手段１６側へと落下する。このため第２特別図柄始動手段１６が開状態になれば、右打ち通路２５からの遊技球が第２特別図柄始動手段１６に入賞する可能性が高くなる。
【００７９】
第２特別図柄始動手段１６に遊技球が入賞すれば、第２特別図柄表示手段２２の第２特別図柄、演出図柄表示手段３７の演出図柄３７ａ〜３７ｃが同期して変動し、所定時間変動した後に大当たり、外れの抽選結果に応じて停止する。そして、変動後の第２特別図柄が大当たり態様で停止すれば大当たり状態が発生し、第１開閉式入賞手段１７が所定の開閉パターンで所定ラウンド数分開閉する。なお、高確率状態は、特別図柄が所定回数変動する等の所定の条件で終了し、その後は通常確率状態に戻る。
【００８０】
この実施形態では、開閉部材４８を閉状態Ｘでロック手段５１によりロックし、且つ駆動手段４９が開閉部材４８を閉状態Ｘから開状態Ｙに変換する場合に、この駆動手段４９に連動して開閉部材４８を開方向に駆動する前にそのロック手段５１によるロックを解除するようにしているので、ガラス扉４を殴打して第１開閉式入賞手段１７の開閉部材４８を不正に開状態Ｙにする等の不正行為を未然に防止することができる。また閉状態Ｘの開閉部材４８上に遊技球が落下するときの衝撃等によって開閉部材４８が不測に後退するようなこともない。
【００８１】
また駆動手段４９と開閉部材４８とを連動させる連動手段５０中にロック手段５１を設けているので、連動手段５０と入賞ケース４６等の固定側との間にロック手段５１を設ける場合に比較して構造を簡素化することができる。更に連動手段５０は駆動手段４９側の第１連動部材８６と開閉部材４８側の第２連動部材８８とを備え、ロック手段５１は第２連動部材８８に設けられた被係合部９２と、第１連動部材８６に設けられ且つ開閉部材４８が閉状態Ｘの場合に被係合部９２に係脱自在に係合する係合部９３とを備え、第１連動部材８６は閉状態Ｘから開状態Ｙに変換する場合にロック手段５１の離脱後に第２連動部材８８と連動するようにしているので、簡単な構造で開閉部材４８を確実にロックすることができる。
【００８２】
また被係合部９２を有する第２連動部材８８を枢軸８７により揺動自在に枢支し、枢軸８７と略直交方向に移動自在に設けられた第１連動部材８６に被係合部９２に略直交方向から係脱自在に係合する係合部９３を備えているので、第１連動部材８６と第２連動部材８８との動きの違いを利用してロック手段５１の係合部９３と被係合部９２とを容易且つ確実に係脱することができる。
【００８３】
更に第２連動部材８８に設けられた被当接部９５と、第１連動部材８６に設けられた第１当接部９６及び第２当接部９７とを備え、第１当接部９６はロック手段５１の離脱後に開閉部材４８を閉状態Ｘから開状態Ｙに変換すべく被当接部９５に当接し、第２当接部９７は開閉部材４８を閉状態Ｘから開状態Ｙに変換した後に被当接部９５から離脱してロック手段５１のロックを許容するようになっているので、両連動部材８６，８８を確実に連動させることができる。
【００８４】
図１３、図１４は本発明の第２の実施形態を例示する。この実施形態は、ソレノイド８４が消磁して開閉部材４８を閉状態Ｘに復帰させる場合に、開閉部材４８が閉状態Ｘに戻った後に、第２連動部材８８の枢軸８７廻りの回動により、ロック手段５１の係合部９３が被係合部９２の下側に係合するようにしたものである。
【００８５】
即ち、この実施形態では、図１３に示すように、ソレノイド８４の消磁により第１連動部材８６がｃ矢示方向に途中まで移動したときに、第２連動部材８８が枢軸８７廻りに終端まで回動して開閉部材４８が閉状態Ｘに位置し、また第２当接部９７が被当接部９５から上側に離脱する。そして、その後、第１連動部材８６が更にｃ矢示方向に移動することより、図１４に示すように係合部９３が被係合部９２の下側に係合して、ロック手段５１により開閉部材４８を閉状態Ｘにロックする。
【００８６】
このようにすれば、多少、ソレノイド８４のストロークが長くなるが、連携手段５２の構成を簡素化することができる。
【００８７】
図１５は本発明の第３の実施形態を例示する。この実施形態では、連動手段５０の第２連動部材８８がベルクランク状（略Ｌ字状）に構成されると共に、駆動手段４９を構成するソレノイド８４、及びそのプランジャー８５に連結された第１連動部材８６が上下方向に移動自在に配置されている。第２連動部材８８は枢軸８７を挟んで２個のアーム部８８ａ，８８ｂを有し、その一方のアーム部８８ａが開閉部材４８に、他方のアーム部８８ｂが第１連動部材８６に夫々連結されている。そして、アーム部８８ｂと第１連動部材８６との間には、第１の実施形態と同様にロック手段５１及び連携手段５２が設けられている。
【００８８】
このように２個のアーム部８８ａ，８８ｂを有する第２連動部材８８を使用すれば、駆動手段４９を構成するソレノイド８４、プランジャー８５、第１連動部材８６は上下方向に配置してもよい。このようにソレノイド８４、プランジャー８５、第１連動部材８６を上下方向に配置すれば、開閉部材４８が前後方向に摺動するにも拘らず、第１開閉式入賞手段１７の前後方向の寸法を小さくすることも可能である。
【００８９】
以上、本発明の各実施形態について詳述したが、本発明はこの各実施形態に限定されるものではなく、本発明の趣旨を逸脱しない範囲で種々の変更が可能である。例えば、実施形態では、変換部材を開閉部材４８とし、その開閉部材４８が前後方向に摺動して開閉する開閉式入賞手段１７について例示しているが、入賞手段以外の遊技部品においても同様に実施可能である。
【００９０】
例えば、通過路の上側に前後方向に出退自在に阻止部材を配置し、阻止部材が通過路上に突出したときに遊技球の通過路への通過を阻止し、通過路上から後方に後退したときに、通過路への遊技球の通過を許容するようにした遊技部品の場合には、その阻止部材を変換部材として各実施形態と同様に実施可能である。従って、変換部材を備えた遊技部品は、開閉部材４８を備えた開閉式入賞手段１７に限定されるものではない。
【００９１】
また実施形態では、開閉部材４８の開状態Ｙを遊技者に有利な第１状態とし、閉状態Ｘを遊技者に不利な第２状態としているが、第１状態は第２状態に比較して相対的に遊技者に有利な状態であればよく、閉状態Ｘの第２状態に対する開状態Ｙである必要はなく、第１状態、第２状態が共に開状態であってもよい。変換部材の変換動作方向はその遊技部品の動作形態に応じて適宜決定すればよい。
【００９２】
駆動手段４９はプランジャー８５を有するソレノイド８４とし、そのプランジャー８５に連結された第１連動部材８６がソレノイド８４によって直線的に移動するようにしているが、駆動手段４９をモータとして、その回転軸に第１連動部材８６を固定し、この第１連動部材８６と例えば第１の実施形態の開閉部材４８の後部側（第２連動部材８８）との間にロック手段５１、連携手段５２を設けてもよい。その他、第１の実施形態と同様に第１連動部材８６を直線移動式とする場合には、駆動手段４９を構成するモータの回転軸にピニオンギヤーを設け、ピニオンギヤーが第１連動部材８６側のラックギヤーに噛合するようにしてもよい。
【００９３】
ロック手段５１は変換部材を第２状態でロックし、駆動手段４９が変換部材を第２状態から第１状態に変換する場合に、駆動手段４９に連動して変換部材の駆動前にそのロックを解除するように構成されておればよく、ロック手段５１を入賞ケース４６等の固定箇所に設けておき、駆動手段４９が変換部材を駆動する際に、ロック手段５１が駆動手段４９に電気的に連動してロックを解除するようにしてもよい。
【００９４】
連動手段５０は駆動手段４９側の第１連動部材８６と、変換部材側の第２連動部材８８との二部材により構成すれば構造的に簡単であるが、第１連動部材８６と第２連動部材８８との二部材を備えたものの他、三部材、又はそれ以上の部材を備えたものでもよい。また二部材の場合にも、前述のように第２連動部材８８は変換部材の一部を利用する等、変換部材と一体にしてもよい。
【００９５】
ロック手段５１、連携手段５２を連動手段５０中に組み込む場合には、各実施形態に例示するように第１連動部材８６と第２連動部材８８は異なる方向に運動することが望ましく、両連動部材の運動方向を変えることによって、ロック手段５１、連携手段５２の構造を簡単にすることができる。
【００９６】
更に本発明はパチンコ機の他、アレンジボール機、その他の各種の弾球遊技機においても同様に実施可能であることは云うまでもない。
【符号の説明】
【００９７】
Ｘ  閉状態（第２状態）
Ｙ  開状態（第１状態）
１７  開閉式入賞手段（遊技部品）
４７  入賞口
４８  開閉部材（変換部材）
４９  駆動手段
５０  連動手段
５１  ロック手段
８６  第１連動部材
８７  枢軸
８８  第２連動部材
９２  被係合部
９３  係合部
９５  被当接部
９６  第１当接部
９７  第２当接部
【図１】
0005855169.tif 000002
【図２】
0005855169.tif 000003
【図３】
0005855169.tif 000004
【図４】
0005855169.tif 000005
【図５】
0005855169.tif 000006
【図６】
0005855169.tif 000007
【図７】
0005855169.tif 000008
【図８】
0005855169.tif 000009
【図９】
0005855169.tif 000010
【図１０】
0005855169.tif 000011
【図１１】
0005855169.tif 000012
【図１２】
0005855169.tif 000013
【図１３】
0005855169.tif 000014
【図１４】
0005855169.tif 000015
【図１５】
0005855169.tif 000016